(57)【要約】 【課題】  回転軸を短くして内部の空間を有効に利用でき、折損の発生が少なく、かつ小さい力でもって傾動操作を行うことのできるパチンコ機の操作ハンドルを提供する。【解決手段】  先端に山形歯１４が形成され左右の側面に支軸部８１が突設された傾角調整用部材８に回動レバー７を有するハンドル本体２を枢着し、前記支軸部８１をハンドル取付基部１の左右の側面に軸着して、ハンドル本体２を上下方向に傾動自在とする。ハンドル取付基部１には山形歯１４に噛合する係止片２０を設け、強付勢バネ２１の付勢により山形歯１４と係止片２０とを噛合させて、ハンドル本体２の上下方向傾き角を多段階に調整可能とする。強付勢バネ２１は調整レバー２２に係着してあって係止片２０の付勢解除可能である。また、回転軸６の前端にハンドルボリューム１１を設け、係止片２０の後方に形成されたスペースには中継用基板４２などの電子部品を収納する。【選択図】    図２
2005040426.tif 000002
【特許請求の範囲】
【請求項１】
遊技盤に突設されたハンドル取付基部と回動レバーを有するハンドル本体とからなるパチンコ機の操作ハンドルであって、一端に山形歯が形成され左右の側面に支軸部が突設された傾角調整用部材に回動レバーを有するハンドル本体を枢着したうえに、前記支軸部をハンドル取付基部の左右の側面に軸着して、ハンドル本体を支軸部を中心に上下方向に傾動自在に取り付けるとともに、ハンドル取付基部にはバネの付勢により前記山形歯に噛合してハンドル本体の傾動を制止する係止片を設けたことを特徴とするパチンコ機の操作ハンドル。
【請求項２】
ハンドル取付基部に調整レバーを枢設し、該調整レバーに係止片押圧用の強付勢バネを係着して、強付勢バネの付勢に抗して調整レバーを操作することにより係止片と山形歯との噛合が緩むようにした請求項１に記載のパチンコ機の操作ハンドル。
【請求項３】
係止片には、該係止片を常に山形歯に噛合する方向に弱く押圧する弱付勢バネが取り付けられている請求項２に記載のパチンコ機の操作ハンドル。
【請求項４】
回動レバーの回転軸の前端側にハンドルボリュームを取り付けたうえに、ハンドル取付基部の内部に、ハンドルボリュームの抵抗値を球発射用駆動源に中継するための電子部品を配設した請求項１〜３の何れかに記載のパチンコ機の操作ハンドル。
【請求項５】
ハンドル取付基部は、遊技盤に垂直に突設された垂直部と、この垂直部からパチンコ機外側に向けて水平方向に屈曲された屈曲部とからなる請求項１〜４の何れかに記載のパチンコ機の操作ハンドル。
【発明の詳細な説明】
【技術分野】
【０００１】
本発明は、遊技盤の下部に突設されて遊技を行うためのパチンコ機の操作ハンドルに関するものである。
【背景技術】
【０００２】
従来のパチンコ機の操作ハンドルは、パチンコ機の前方に延びるハンドル取付基部の先にハンドル本体を水平に取り付けたものが普通であって、遊技者は手首を曲げた不自然な持ち方を強いられるために長時間遊技を行うと疲労感を覚えるという問題があった。このような問題を解消するものとして、特公平７−９６０５２号公報には、パチンコ機のハンドル取付基部の先端部とハンドル本体の取付アームとをピンにより上下方向に傾動自在に取り付けると共に、ハンドル取付基部に固定される山切り歯にピンに沿ってスライドする山切り歯を圧縮バネにより圧接し、さらに、ハンドル本体の軸をハンドル本体とハンドル取付基部の枢軸線上に配置されるユニバーサルジョイントを介してパチンコ機の弾球力調整器に連結したことを特徴とする操作ハンドルが開示されている。
【０００３】
しかしながら、上記発明においては、操作ハンドルの回動レバーに取り付けられた回転軸がユニバーサルジョイントを介して遊技盤面後方に設けられた弾球力調整装置に連結されているために、回転軸が長いものとなってユニバーサルジョイントに負荷が集中して折損しやすいという問題がある。さらに回転軸が遊技盤面の後方にまで延伸されているために、操作ハンドル内に弾球力調整器装置を設けることができず、このために弾球調整器を設けるスペースを遊技盤の裏側に確保しなければならず、複雑大型化する遊技装置を取り付けるに当って不都合を生ずるという問題がある。また、山切り歯を圧縮バネによって圧接してあるので、ハンドル本体の傾角を調整する場合に圧縮バネの付勢力に抗する大きな力をかけなければ傾動することができず、力の弱い女性などにとっては傾動操作がしにくいものであった。
【特許文献１】特公平７−９６０５２号公報（第１図）
【発明の開示】
【発明が解決しようとする課題】
【０００４】
本発明は上記した従来の問題点を解決し、回転軸を短くして内部の空間を有効に利用でき、折損の発生もなく、回動レバーとハンドルボリューム間のバックラッシュがないため正確に調整でき、かつ小さい力でもって傾動操作を行うことのできるパチンコ機の操作ハンドルを提供するためになされたものである。    
【課題を解決するための手段】
【０００５】
上記の課題を解決するためになされた本発明のパチンコ機の操作ハンドルは、遊技盤に突設されたハンドル取付基部と回動レバーを有するハンドル本体とからなるパチンコ機の操作ハンドルであって、一端に山形歯が形成され左右の側面に支軸部が突設された傾角調整用部材に回動レバーを有するハンドル本体を枢着したうえに、前記支軸部をハンドル取付基部の左右の側面に軸着して、ハンドル本体を支軸部を中心に上下方向に傾動自在に取り付けるとともに、ハンドル取付基部にはバネの付勢により前記山形歯に噛合してハンドル本体の傾動を制止する係止片を設けたことを特徴とするものである。
【０００６】
尚、ハンドル取付基部に調整レバーを枢設し、該調整レバーに係止片押圧用の強付勢バネを係着して、強付勢バネの付勢に抗して調整レバーを操作することにより係止片と山形歯との噛合が緩むようにするのが望ましく、一方係止片には、該係止片を常に山形歯に噛合する方向に弱く押圧する弱付勢バネを取り付けるのが望ましい。
また、回動レバーの回転軸の前端側にハンドルボリュームを取り付けたうえに、ハンドル取付基部の内部に、ハンドルボリュームの抵抗値を球発射用駆動源に中継するための電子部品を配設することができる。さらに、ハンドル取付基部は、遊技盤に垂直に突設された垂直部と、この垂直部からパチンコ機外側に向けて水平方向に屈曲された屈曲部とからなるものとすることができる。
【発明の効果】
【０００７】
本発明のパチンコ機の操作ハンドルは、先端に山形歯が形成され左右の側面に支軸部が突設された傾角調整用部材に回動レバーを有するハンドル本体を枢着し、前記支軸部をハンドル取付基部の左右の側面に軸着したので、ハンドル本体を上下方向に傾動自在に取り付けることができる。ハンドル取付基部には山形歯に噛合する係止片を設けて、バネの付勢により山形歯と係止片とを噛合させたので、ハンドル本体の上下傾き角を遊技者の姿勢に合わせてラッチ構造により多段階に調整することができる。また、回転軸を従来の半分程度の短いものとすることができるうえ、回転力のみが伝わるので、ユニバーサルジョイントのように回転力が一点に集中して折損したりすることがない。また、操作ハンドル内にスペースを設けることができる。
【０００８】
また、係止片付勢用の強付勢バネを調整レバーに取り付けたので、この調整レバーを操作することにより容易に係止片と山形歯との噛合を緩ませて傾き角度を調整することができる。一方、係止片には、調整レバーの操作に関わらず該係止片を常に山形歯に噛合する方向に弱く押圧する弱付勢バネが取り付けられているので、クリック感をもって傾き角度調整を容易に行うことができる。
また、回転軸の前端にハンドルボリューム(可変抵抗)を設け、係止片の後方に形成されたスペースにハンドルボリュームに関連する電子部品を収納したので、遊技盤後面に弾球速度調整装置を取り付けるためのスペースを確保する必要がない。さらに、ハンドル取付基部は、遊技盤に垂直に突設された垂直部と、この垂直部からパチンコ機機側に向けて水平方向に屈曲された屈曲部とからなるものとしたので、操作ハンドル全体を遊技者の外方向に向けて湾曲させることができて、遊技者が窮屈感を感ずることなくリラックスして遊技を行うことができる。
【発明を実施するための最良の形態】
【０００９】
以下に図面を参照しつつ本発明の好ましい実施形態を説明する。
図１、２は本発明に係る操作ハンドルを示す図であって、１は遊技盤（図示していない）に垂直に突設されたハンドル取付基部、２は遊技者が把持して遊技を行うためのハンドル本体である。ハンドル取付基部１は半分割された上側部材１ａと下側部材１ｂがネジＢ３により合体されたものである。ハンドル本体２は、装飾用部材３が嵌め込まれたお椀状のキャップ４と、キャップベース５と、回転軸６を有し指掛け部７ａの形成された回動レバー７と、回動レバー７の後側の支持部材である傾角調整用部材８とからなる。
【００１０】
キャップ４とキャップベース５とはビスＢ１によりねじ止めされている。キャップべース５の中央には、ハンドルボリューム１１が枢軸１２を後方(遊技盤側)に向けてナットＮにより締結されている。枢軸１２は円柱体側面の一部を切り欠いた断面Ｄ形状に形成してあって(図５参照)、この枢軸１２に回動レバー７の回転軸６の裏側凹部６ａが嵌め込まれている。裏側凹部６ａは枢軸１２の形状に対応させた形状に形成してあるので、回動レバー７の回動操作を確実にハンドルボリューム１１の枢軸１２に伝達することができる。回動レバー７の回転軸６には、外周に段差部６１を設けてあり、また、回動レバー７の回転戻り用のバネ１３が装着してある。
【００１１】
そして、回動レバー７の回転軸６には先端に山形歯１４が形成された略Ｔ字形の傾角調整用部材８の裏面凹部１５が遊びをもって嵌め込まれていて、裏面凹部１５のコーナー部は回転軸６の段差部６１に当接されている。傾角調整用部材８は、ビスＢ２によりキャップベース５と一体に接続されている。したがって、回動レバー７を回動した時にはハンドルボリューム１１の枢軸１２のみが回動する。
【００１２】
傾角調整部材８はその側面に支軸部８１が左右に一対突設されており、この支軸部８１に回転止め１６が形成された略筒形の枢着部材１７が嵌合されている。前記回転止め１６は、ハンドル取付基部１の左右の側面内側に形成されたガイド部１８に嵌め込まれて固定されている。以上のようにしてハンドル本体２は一体に構成されているが、支軸８１を軸として上下方向に自在に傾動することができる。なお、山形歯１４の裏側には上下方向に貫通する四角形の貫通孔８ａが設けられており、ビスＢ３はこの中に挿通されているので傾角調整部材８の傾動に支障はない。
【００１３】
一方、ハンドル取付基部１には前記山形歯１４に噛合する係止片２０を設けて、噛合用バネ２１により調整レバー２２を介して係止片２０を付勢して山形歯１４に噛合させてある。調整レバー２２は支軸２３と、操作部２４と、この操作部２４の押圧によって回動されるアーム部２５とを有し、アーム部２５先端には前記噛合用の強付勢バネ２１が取り付けられている。
【００１４】
図４に調整レバー２２の詳細構造を示すが、係止片２０付勢用の強付勢バネ２１は、ハンドル取付基部１の下部から上向きに設けられた柱状部３１に挿着されており、一端はアーム部２５に設けた突起２６に係着されており、他端は傾角調整部材８の先端部を覆うカバー体２７に設けた小凸部２８に係止されている(図１参照)。したがって、強付勢バネ２１はアーム部２５を前方(遊技者側)に付勢している。
係止片２０は、一対の脚部２０ａと、先端が鋭角に形成された板状部２０ｂと、これに突設された突起２０ｃと、アーム部２５により山形歯１４方向に押圧される係合爪２０ｄとからなり、脚部２０ａがハンドル取付基部１に設けた上向きの支持板３３に前後に摺動可能に挟着されている。
【００１５】
又、調整レバー２２の支軸２３は、ハンドル取付基部１に突設された柱状凹部３４に回動自在に嵌め込まれている。そして、弱付勢バネ３５が支軸２３の上方に延設された柱状部２９に装着され、その一端が係止片２０の突起２０ｃに係止され、他端がカバー体２７の側面に当接されているので、調整レバー２２の押圧が解除された時にも、係止片２０を山形歯１４方向に弱く押している。遊技者が操作ハンドルの傾き角度を調整する場合には、図６に示すように調整レバー２２の操作部２４を押し込めば、強付勢バネ２１による係合爪２０ｄを介しての係止片２０の前方への付勢が解除される。しかし、弱付勢バネ３５により係止片２０は軽く山形歯４に押しつけられているので、山形歯１４と係止片２０との間にクリック運動を発生し、調整位置を分かり易くする。そして、適宜の角度に調整したのち操作部２４の押し込みを解除すれば、係止片２には強付勢バネ２１の強い弾発力が加わり、傾角調整部材８を固定することができる。なお、図３には、ハンドル本体２を上方に傾動させた状態である操作ハンドルを示した。
【００１６】
係止片２０の後方のハンドル取付基部１内空間には、ハンドルボリューム１１の抵抗値を弾球槌などの球発射用駆動源(図示していない)に中継するための中継用基板４２とタッチセンサー４１とからなる電子部品が配設されている。したがって、遊技盤裏面にハンドルボリューム１１や中継用の電子部品を取り付けるためのスペースを確保する必要がなく、このスペースを有効に活用することができる。
【００１７】
また、ハンドル取付基部１は、遊技盤に垂直に突設された垂直部１ｃと、この垂直部１ｃからパチンコ機機側(遊技者の外側)に向けて水平方向に屈曲された屈曲部１ｄとからなるものとして、遊技者が楽な姿勢を取ることができるようにしてある。
【図面の簡単な説明】
【００１８】
【図１】本発明に係る操作ハンドルの水平断面図である。
【図２】ハンドル本体が水平に支持されている操作ハンドルの垂直断面図である。
【図３】ハンドル本体が上方に回動されている操作ハンドルの垂直断面図である。
【図４】図１のＡ−Ａ線断面図である。
【図５】図１のＢ−Ｂ線断面図である。
【図６】調整レバーが押し込まれている操作ハンドルの水平断面図である。
【符号の説明】
【００１９】
１  ハンドル取付基部
２  ハンドル本体
６  回転軸
７  回動レバー
８  傾角調整用部材
１１  ハンドルボリューム
１４  山形歯
１６  回転止め
２０  係止片
２１  強付勢バネ
２２  調整レバー
４２  中継用基板
８１  支軸部
【図１】
2005040426.tif 000003
【図２】
2005040426.tif 000004
【図３】
2005040426.tif 000005
【図４】
2005040426.tif 000006
【図５】
2005040426.tif 000007
【図６】
2005040426.tif 000008